(57)【要約】【課題】狭い空間であっても、十分な収納部を確保しつつ、椅子Ａの大きな座面を確保して安定して座り得るようにし、座って休息や対話もできるようにする。【解決手段】収納付き椅子Ａとして、座部１とその座部１の後端に立設された背部２とを有し、座部１の下側に座部側収納部５が設けられている一方、背部２の後側に背部側収納部１５が設けられている。座部側収納部５は、左右方向に２つに分割されかつ前後方向に沿って引き出される引出し８，８を有する。【選択図】図９
2014004347.tif 000002
【特許請求の範囲】
【請求項１】
収納付き椅子であって、
座部と該座部の後端に立設された背部とを有し、
上記座部の下側に座部側収納部が設けられている一方、
上記背部の後側に背部側収納部が設けられていることを特徴とする収納付き椅子。
【請求項２】
請求項１において、
座部側収納部は、左右方向に複数に分割されかつ前後方向に沿って引き出される引出しを有することを特徴とする収納付き椅子。
【請求項３】
請求項１又は２において、
座部又は背部の左右両側の少なくとも一方に側部収納部が設けられていることを特徴とする収納付き椅子。
【請求項４】
請求項１〜３のいずれか１つの収納付き椅子が、座部の左右中央部又は該左右中央部近傍を、玄関の土間と床との境界部分に位置付けて設置されていることを特徴とする玄関構造。
【発明の詳細な説明】
【技術分野】
【０００１】
本発明は、住宅や公共施設の玄関等に設置される収納付き椅子、及びそれが設置された玄関構造に関する。
【背景技術】
【０００２】
一般に、玄関で履き物を履いたり脱いだりする場合、中腰や腰を屈めた状態、或いは片足立ち状態で行われる。このことから、腰や膝に負担がかかったり、或いはバランスを崩して転倒したりすることがあり、高齢者にとっては、これら腰や膝の負担が大きく、転倒では骨折等の事故に至り兼ねない。
【０００３】
そこで、従来、椅子に座って履き物の履き脱ぎができるようにするために、玄関での靴等の収納部に椅子を収容することが提案されている。例えば特許文献１〜３には、靴等を収容する収納家具内に折り畳み式の椅子を一体的に取り付けておき、履き物を履いたり脱いだりする際には、その椅子を収納家具から引き出し、その引き出し状態の椅子に座って履き物の履き脱ぎをするようにすることが示されている。
【先行技術文献】
【特許文献】
【０００４】
【特許文献１】特開平９−１４０４７５号公報
【特許文献２】特開平１１−３４２０２９号公報
【特許文献３】特開２００６−１０１９９０号公報
【発明の概要】
【発明が解決しようとする課題】
【０００５】
これら特許文献１〜３に示されるものでは、履き物の履き脱ぎのときだけ、収納家具から椅子を引き出して準備すればよいので、狭い玄関であっても椅子が邪魔になることはない利点がある。
【０００６】
しかし、その反面、折り畳み式の椅子は大きさに限度があり、小さいために安定して座り難く、高齢者にとっては安全性の面で難があるばかりでなく、履き物の履き脱ぎ以外の用途、例えば休息したり話をしたりすることが困難である。
【０００７】
本発明は斯かる点に鑑みてなされたもので、その目的は、収納部と椅子の機能とを有するものにおいて、その構造を工夫することにより、狭い空間であっても、十分な収納部を確保しつつ、大きな座面を確保して安定して座り得るようにし、さらには座って休息や対話もできるようにすることにある。
【課題を解決するための手段】
【０００８】
上記の目的を達成するために、この発明では、収納部に折り畳み式の椅子を引出可能に収容するのではなく、逆に、椅子の座部及び背部にそれぞれ収納部を設けるようにした。
【０００９】
具体的には、請求項１の発明は、収納付き椅子であって、座部と該座部の後端に立設された背部とを有し、上記座部の下側に座部側収納部が設けられている一方、上記背部の後側に背部側収納部が設けられていることを特徴とする。
【００１０】
この請求項１の発明では、折り畳み構造ではない椅子がそのまま設置されているので、その座部を通常の椅子と同様に大きなものとすることができ、収納物の出し入れ等の際に安定して座ることができる。また、大きな椅子に座ることで、収納物の出し入れ以外に休息したり話をしたりすることができる。
【００１１】
また、その椅子の座部の下側及び背部の後側にそれぞれ収納部が設けられているので、本来は狭い空間であっても、大きな場所を占めることなく収納物を収納して収納部として十分な大きさを確保することができる。
【００１２】
請求項２の発明は、請求項１の発明の収納付き椅子において、上記座部側収納部は、左右方向に複数に分割されかつ前後方向に沿って引き出される引出し（抽出、抽斗）を有することを特徴とする。
【００１３】
この請求項２の発明では、座部下側の座部側収納部が、左右方向に複数に分割された引出しを有するので、椅子の座部の一部に座り、その状態で他の部分に位置する引出しを開けて収納物を出し入れできる。つまり、椅子に座ったままでの収納物の出し入れが容易となる。
【００１４】
請求項３の発明は、請求項１又は２の発明の収納付き椅子において、座部又は背部の左右両側の少なくとも一方に側部収納部が設けられていることを特徴とする。
【００１５】
この請求項３の発明では、椅子の座部又は背部の左右両側に側部収納部が設けられているので、その収納部に長尺物を上下方向にして収納したり、他の種類の収納物を収納したりすることができ、それら収納物を椅子に座って容易に取り出すことができる。
【００１６】
請求項４の発明の玄関構造は、請求項１〜３のいずれか１つの発明の収納付き椅子が、座部の左右中央部又は該左右中央部近傍を、玄関の土間と床との境界部分に位置付けて設置されていることを特徴とする。
【００１７】
この請求項４の発明では、椅子の座部が、土間に対応する土間側部分と床に対応する床側部分とに分かれることとなり、例えば床側の座部に座りながら収納部から収納物としての履き物を出した後、その座ったまま座部を土間側に横移動して土間上で履き物を履くようにする動作が可能となり、苦労なくスムーズに外出すること等ができる。また、来客がある場合、その来客は土間側の座部に履き物を履いたまま座り、応対者は床側の座部に履き物を履かずに座ることで、両者が横並びに座って話をすることができる。例えば履き物の履き脱ぎが面倒と感じる高齢者等でも、その履き脱ぎを要することなく玄関でちょっとした話を行うことができる。
【発明の効果】
【００１８】
以上説明したように、請求項１の発明によると、収納付き椅子として、その座部の下側に座部側収納部を設ける一方、背部の後側に背部側収納部を設けたことにより、その椅子の座部を大きなものとして、収納物の出し入れの際に安定して座ることができ、椅子に座って休息したり話をしたりすることができるとともに、狭い空間であっても、大きな場所を占めることなく収納物を収納して十分な大きさの収納部を確保することができる。
【００１９】
請求項２の発明によると、座部側収納部を、左右方向に複数に分割された引出しとしたことにより、座部の一部に座ったままた他の部分に位置する引出を開けて収納物を出し入れして、椅子に座ったままでの収納物の出し入れを容易に行うことができる。
【００２０】
請求項３の発明によると、座部又は背部の左右両側の少なくとも一方に側部収納部を設けたことにより、その収納部に収納物を収納でき、椅子に座ったままでも収納物を容易に取り出すことができる。
【００２１】
請求項４の発明の玄関構造によると、収納付き椅子を、座部の左右中央部又は該左右中央部近傍を、玄関の土間と床との境界部分に位置付けて設置したことにより、椅子の座部を土間側部分と床側部分とに分けて、床側の座部に座りながら収納部から履き物を出した後、その座ったまま座部を土間側に横移動して土間上で履き物を履くようにする動作を可能とし、苦労なくスムーズに外出すること等ができる。また、来客がある場合、その来客が土間側の座部に履き物を履いたまま、また応対者は床側の座部に履き物を履かずに、横並びに座って話をすることができ、高齢者等でも履き物の履き脱ぎを要することなく玄関で話を行うことができる。
【図面の簡単な説明】
【００２２】
【図１】図１は、本発明の実施形態１に係る収納付き椅子の正面図である。
【図２】図２は、実施形態１に係る収納付き椅子の平面図である。
【図３】図３は、実施形態１に係る収納付き椅子を右側から見て示す側面図である。
【図４】図４は、実施形態１に係る収納付き椅子を左側から見て示す側面図である。
【図５】図５は、実施形態１に係る収納付き椅子において、座部側収納部の引出しの前板、背部側収納部の扉の一部、側部収納部の引出しの前板及び扉部をそれぞれ取り外して、履き物や長尺物の収納状態を示す図１相当図である。
【図６】図６は、実施形態１に係る収納付き椅子において、背部側収納部のボックスの天板、側部収納部のボックス及び引出しの天板をそれぞれ取り外して、履き物や長尺物の収納状態を示す図２相当図である。
【図７】図７は、実施形態１に係る収納付き椅子において、側部収納部の引出しを引き出して長尺物の収納状態を示す図３相当図である。
【図８】図８は、図５のVIII−VIII線断面図である。
【図９】図９は、実施形態１に係る収納付き椅子の分解斜視図である。
【図１０】図１０は、背部側収納部の箱部を前側から見て示す正面図である。
【図１１】図１１は、図１０のXI−XI線断面図である。
【図１２】図１２は、背部側収納部の扉を後側から見て示す正面図である。
【図１３】図１３は、背部側収納部の扉を示す側面図である。
【図１４】図１４は、実施形態２に係る収納付き椅子の正面図である。
【図１５】図１５は、実施形態２に係る収納付き椅子の平面図である。
【図１６】図１６は、実施形態２を示す図５相当図である。
【図１７】図１７は、図１６のXVII−XVII線断面図である。
【図１８】図１８は、図１６のXVIII−XVIII線断面図である。
【発明を実施するための形態】
【００２３】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２４】
（実施形態１）
図１〜図９は本発明の実施形態１に係る収納付き椅子Ａを示し、この実施形態では椅子Ａは玄関に設置される。収納付き椅子Ａは、座部１と、この座部１の後端に立設された背部２とを有し、座部１の下側には座部側収納部５が、また上記背部２の後側には背部側収納部１５がそれぞれ設けられている。
【００２５】
具体的には、収納付き椅子Ａは、台輪４と、この台輪４上に固定された箱状の座部側収納部５と、この座部側収納部５上面の後端部に固定された箱状の背部側収納部１５と、座部側収納部５及び背部側収納部１５の左側（前側から見たときには右側）の側面に一体的に固定された側部収納部３０と、座部側収納部５及び背部側収納部１５の右側の側面に一体的に固定されたエンドパネル４０とを備えている。
【００２６】
上記台輪４は、細長い板材を矩形枠状に組んだ左右方向に長い枠体からなり、その左右中間部には前後方向に延びる複数の補強桟４ａ，４ａ，…（図５参照）が取り付けられている。
【００２７】
上記座部側収納部５は、前側に開放された左右方向に長い矩形箱状のボックス部６を備え、そのボックス部６内の左右中央には上下方向に延びる板状の隔壁７が取付固定されており、この隔壁７によりボックス部６内空間が左右２つの分割空間に分割されている。このボックス部６内の左右の分割空間にはそれぞれ前後方向に沿ってスライド移動して引き出される引出し８，８（抽出、抽斗）が配置されている。この各引出し８は、上側に開放された矩形箱状のもので、その左右側板の外面と、ボックス部６の側板内面及び隔壁７の左右側面との間にはスライドレール機構９，９が取り付けられており、このスライドレール機構９，９によって各引出し８をボックス部６に対し前後方向に沿ってスライド移動可能に支持するとともに、各引出し８をボックス部６内に押し込んで格納状態にしたときに、その引出し８の前板がボックス部６前側の分割空間の開口を閉塞するようになっている。
【００２８】
上記各引出し８内の底部には、左右方向に延びる板状の複数枚の仕切り板１０，１０，…が立設され、各仕切り板１０の上端は引出し８の上端よりも低く、図５及び図８に示すように、引出し８内に収納物としての靴等の履き物Ｓの底部を仕切り板１０に載せることで、履き物Ｓを斜めにした状態で収納するようにしている。
【００２９】
上記各引出し８における前板の上端部の高さ位置は、ボックス部８における各分割空間の前側開口の上端部よりも少し下げられていて両者間に隙間が形成されており、引出し８を引き出す際に、その隙間に指を入れて引出し８の前板上端部に係止できるようになっている。
【００３０】
上記背部側収納部１５は、図１０及び図１１にも示すように、前側に開放されかつ左右方向に長くて高さが高く前後方向の奥行きの小さい矩形箱状の薄型ボックス部１６を備えている。このボックス部１６は、左右方向の長さが上記座部側収納部５のボックス部６と同じであり、該座部側収納部５のボックス部６上面の後端部に載置された状態で一体的に取付固定されている。背部側収納部１５におけるボックス部１６内の左右中央には上下方向に延びる板状の縦隔壁１７が一体的に取付固定されている。また、この縦隔壁１７の上下中央部とボックス部１６の左右側板との間にはそれぞれ横隔壁１８，１８が掛け渡されて一体的に固定されており、これらの隔壁１７，１８によりボックス部１６内の空間が上下左右の４つの分割空間に分割されている。図１０及び図１１中、１９は後述のドロップ蝶番２１を取り付けるための蝶番取付部である。
【００３１】
また、ボックス部１６の前側には、各分割空間の開口を開閉する４枚の扉２０，２０，…が配置されている。この各扉２０は下端部の後面（裏面）においてボックス部１６の底板及び横隔壁１８の各前端部に対し左右２つのドロップ蝶番２１，２１を介して前後回りに揺動可能に支持されており、扉２０が上端部を後方に移動させるように後回りに回動したときには、ボックス部１６の各分割空間の開口を閉じる一方、上端部を前方に移動させるように前回りに回動したときには、ボックス部１６の各分割空間の開口を開くようになっている。尚、各扉２０の上端部とボックス部１６の天板及び横隔壁１８の各前端部との間には、扉２０の閉じ状態を維持するキャッチ２２が設けられている。また、各扉２０の左右一側部とボックス部１６の左右側板及び縦隔壁１７との間にはステー２３が掛け渡されており、このステー２３により、扉２０をその開き位置では水平状態にならずに鉛直面に対し前傾した位置に保持するようにしている。
【００３２】
図１２及び図１３にも示すように、各扉２０の後面（裏面）において、その略下半部には、コ字状に折れ曲がった支持部材２４が該コの字でいう開放側を上側に向けて一体的に取付固定されている。この支持部材２４の左右両側壁間には横棒２５が扉２０後面との間に所定の間隔をあけた状態で掛け渡されており、図８に示すように、この横棒２５と扉２０後面との間に収納物としての靴やスリッパ等の履き物Ｓを挿入して収納するようになっている。
【００３３】
尚、支持部材２４の左右側壁には複数の取付孔２４ａ，２４ａ，…が左右側壁間で水平方向に対向するように形成され、この対向する取付孔２４ａ，２４ａに横棒２５の両端部が挿入係止されており、この横棒２５の両端部が挿入される取付孔２４ａ，２４ａを変えることで、横棒２５の高さ位置や扉２０後面からの間隔を履き物Ｓの形状に応じて変更できるようにしている。
【００３４】
各扉２０の上端部の高さ位置は、ボックス部１６における分割空間の前側開口の上端部よりも少し下げられていて両者間に隙間が形成されており、扉２０を開く際に、その隙間に指を入れて扉２０の上端部に係止できるようになっている。
【００３５】
上記座部側収納部５のボックス部６上面において、背部側収納部１５（そのボックス部１６）の前側には板状のベース２７を介して、クッション層入りの畳座面や木座面を有する座部１が一体的に取付固定されている。この座部１上面の台輪４下端からの高さは、通常の椅子の座面の高さと同程度に設定されている。このような構造により、座部側収納部５のボックス部６上面に座部１を有し、背部側収納部１５のボックス部の前側の４枚の扉２０，２０，…を背部２とした椅子Ａが構成されている。換言すれば、座部１の下側には座部側収納部５が、また背部２の後側には背部側収納部１５がそれぞれ設けられている。
【００３６】
上記側部収納部３０は、前側に開放されかつ左右方向の幅が小さくて高さが高い矩形箱状の薄型ボックス部３１を備えている。このボックス部３１は、高さが上記座部側収納部５のボックス部６に背部側収納部１５のボックス部１６を加えた高さと同じであり、それら座部側収納部５のボックス部６及び背部側収納部１５のボックス部１６の左側面に並置され、その状態でボックス部３１の右側板にてボックス部６及び背部側収納部１５のボックス部１６の左側面に一体的に取付固定されている。この側部収納部３０のボックス部３１の下面（底面）には上記台輪４と同じ高さの矩形枠状の台輪部３１ａが一体的に固定されており、側部収納部３０のボックス部３１上面は背部側収納部１５のボックス部１６上面と同じ高さで面一状に連続している。
【００３７】
側部収納部３０のボックス部３１内の空間には前後方向に沿ってスライド移動して引き出される引出し３２が配置されている。この引出し３２は、右側つまり座部側収納部５に向かって開放された矩形箱状のもので、その前板の前面にはボックス部３１の前端部と略同じ大きさの扉部３３が一体に取付固定されている。引出し３２の左側板（箱構造でいえば底板）の外面と、ボックス部３１の右側板内面との間には例えば上下２つのスライドレール機構３４，３４が取り付けられており、このスライドレール機構３４によって引出し３２をボックス部３１に対し前後方向に沿ってスライド移動可能に支持するとともに、各引出し３２をボックス部３１内に押し込んで格納状態にしたときに、その前側の扉部３３がボックス部３１前側の開口を閉塞するようになっている。
【００３８】
側部収納部３０の引出し３２内の上部には前後方向に延びる例えば板状の棚３５が引出し３２の前板及び後板間に掛け渡された状態で支持されている。この棚３５の下側には、前後方向に延びる左右２つの上横棒３６が、また引出し３２の下部には右側（引出し３２の開口側）寄りの位置に前後方向に延びる下横棒３７がそれぞれいずれも引出し３２の前板及び後板間に掛け渡された状態で支持されている。そして、図５及び図７に示すように、長尺物Ｌ（図では傘や杖等）を引出し３２内に、それら長尺物Ｌの下端部を下横棒３７と引出し３２の右側板との間に挿入する一方、傘にあってはその柄を上横棒３６，３６に引っ掛け、杖にあってはその頭部を上横棒３６と引出し３２の右側板との間に差し込むことで、収納するようにしている。
【００３９】
尚、引出し３２の前板及び後板には複数の取付孔３２ａ，３２ａ，…が前板及び後板間で水平方向に対向するように形成され、この対向する取付孔３２ａ，３２ａに上記上横棒３６や下横棒３７の両端部が挿入係止されており、この横棒３６，３７の両端部が挿入される取付孔３２ａ，３２ａを変えることで、横棒３６，３７の高さ位置等を長尺物Ｌの形状に応じて変更できるようにしている。また、棚３５は、例えば長さ方向（前後方向）の中間部を幅が両端部よりも小さくなるように切り欠いてエ字状のものとしてもよい。
【００４０】
引出し３２における扉部３３の上端部の高さ位置は、ボックス部３１の前側開口の上端部よりも少し下げられていて両者間に隙間が形成されており、引出し３２を引き出す際に、その隙間に指を入れて引出し３２の前板上端部に係止できるようになっている。尚、側部収納部３０は、引出し３２を有する構造でなくてもよい。
【００４１】
上記エンドパネル４０は、側方から見て椅子形状に切断された１枚の板からなる。このエンドパネル４０は、高さが上記座部側収納部５のボックス部６上の座部１よりも少し高くかつ該座部１と同程度の前後長さを有する方形状の前側部４０ａと、この前側部４０ａの後側に連続し、前後方向の長さが背部側収納部１５のボックス部１６と同程度で上端が該ボックス部１６上面と同じ高さ位置にある縦長形状の後側部４０ｂとからなり、前側部４０ａが座部側収納部５のボックス部６の右側面に、また後側部４０ｂが背部側収納部１５のボックス部１６の右側面にそれぞれ一体的に取付固定されている。
【００４２】
上記エンドパネル４０の前側部４０ａ上端には、前後方向に延びる例えば丸棒からなる手摺り４３が前後２つのステーを有するブラケット４４を介して取付固定されている。
【００４３】
そして、以上の構成の収納付き椅子Ａは、図１に仮想線にて示すように、その座部１の左右中央部（座部側収納部５のボックス部６の隔壁７）又は該左右中央部近傍を、玄関における土間Ｄと床Ｆとの境界部分に位置付けて設置されている。
【００４４】
したがって、上記実施形態に係る収納付き椅子Ａは、座部１とその座部１の後端に立設された背部２とを有し、折り畳み構造の椅子に比べて、その座部１を通常の椅子と同様に大きなものとすることができる。そのため、履き物Ｓの履き脱ぎの際に、当該収納付き椅子Ａに安定して座ることができる。また、履き物Ｓの履き脱ぎ動作に限らず、このような大きな収納付き椅子Ａに座ることで、休息したり話をしたりすることが手軽にできる。尚、図１では人Ｍが椅子Ａの座部１に座った状態を仮想線で示している。
【００４５】
そして、その椅子Ａの座部１の下側に座部側収納部５が設けられているので、この座部側収納部５に靴等の履き物Ｓ（収納物）を収納し、或いは座部側収納部５からに履き物Ｓを取り出す場合には、引出し８を引き出し、その引出し８内の仕切り板１０に履き物Ｓを載せることで、履き物Ｓを斜めにした状態で収納し、履き物Ｓの取出時には上記収納時の逆の動作を行えばよい。こうして履き物Ｓを斜めにして収納することで、引出し８の奥行きが小さい場合でも、多くの履き物Ｓを収納することができる。
【００４６】
一方、椅子Ａの背部２の後側にも背部側収納部１５が設けられているので、この背部側収納部１５に靴やスリッパ等の履き物Ｓ（収納物）を収納し、或いは背部側収納部１５から履き物Ｓを取り出す場合には、４つの扉２０，２０，…のうちの目的の扉２０を前回りに回動させて開き、その前傾した開き位置で扉２０裏側の支持部材２４内に履き物Ｓを横棒２５にかけた状態で収納し、又はその逆の動作で履き物Ｓを取り出せばよい。その際、扉２０が開き位置では鉛直面に対し前傾した位置に保持されるので、履き物Ｓの収納及びその取出しを容易に行うことができる。
【００４７】
このように椅子Ａの座部１の下側に座部側収納部５が、また背部２の後側に背部側収納部１５がそれぞれ設けられているので、本来は狭い玄関であっても、大きな場所を占めることなく履き物Ｓ等をこれらの収納部５，１５に収納することができ、玄関の収納部として十分な大きさを確保することができる。
【００４８】
また、上記収納付き椅子Ａの座部側収納部５は、左右方向に２つに分割されかつ前後方向に沿って引き出される引出し８，８を有するので、その座部１の左右一側に座り、その状態で他側に位置する引出し８を引き出して履き物Ｓ等を出し入れするような使い方をすることができる。このことで、椅子Ａに座ったままでの履き物Ｓの出し入れや履き脱ぎが容易となり、腰や膝に負担がかかったり、或いはバランスを崩して転倒したりする虞れがなくなり、特に高齢者に著しい効果がある。
【００４９】
さらに、椅子Ａにおける座部１の左側に側部収納部３０が設けられ、その側部収納部３０はスライド式の引出し３２を備えているので、その引出し３２を引き出して、引出し３２内部に傘や杖等の長尺物Ｌを上下方向にして収納し、それとは逆の動作で長尺物Ｌを取り出すことができる。このことで、高齢者でも傘や杖等の長尺物Ｌを椅子Ａに座って容易に収納し又は取り出すことができる。
【００５０】
そして、上記収納付き椅子Ａは、その座部１の左右中央部又は該左右中央部近傍が、玄関の土間Ｄと床Ｆとの境界部分に位置付けられて設置されているので、椅子Ａの座部１が、土間Ｄに対応する土間側部分と床Ｆに対応する床側部分とに分かれることとなる。そのため、例えば床Ｆ側の座部１に座りながら収納部５，１５から履き物Ｓを出した後、その座ったまま座部１を土間Ｄ側に横移動して土間Ｄ上で履き物Ｓを履くようにする動作が可能となり、苦労なくスムーズに外出すること等ができる。また、来客がある場合、その来客（図１で左側の人Ｍ）は土間Ｄ側の座部１に履き物を脱がずに座り、応対者（図１で右側の人Ｍ）は床Ｆ側の座部１に履き物Ｓを履かずに座ることで、両者が横並びに座って話をすることができる。このことで、例えば履き物Ｓの履き脱ぎが面倒と感じる高齢者等でも、その履き脱ぎを要することなく玄関でちょっとした話を行うことができることとなる。
【００５１】
（実施形態２）
図１４〜図１８は本発明の実施形態２を示し（尚、図１〜図１３と同じ部分については同じ符号を付してその詳細な説明は省略する）、背部側収納部１５及び側部収納部３０の収納構造を変えたものである。
【００５２】
すなわち、この実施形態では、図１４〜図１７に示すように、収納付き椅子Ａは左右に並べて設置される１対の椅子ユニットＡ１，Ａ１を備えている。両椅子ユニットＡ１，Ａ１は互いに同じものであり、箱状の座部側収納部５と、この座部側収納部５上面の後端部に固定された箱状の背部側収納部１５とからなっている。
【００５３】
座部側収納部５は、前側に開放された矩形箱状のボックス部６を備えているが、実施形態１のものとは異なり、そのボックス部６内には前後方向に沿ってスライド移動して引き出される１つの引出し８が配置されている。また、引出し８の内部には左右方向に延びるパイプ１１が配置され、このパイプ１１は、引出し８の左右側板間に掛け渡されて固定支持されており、実施形態１における仕切り板１０と同様に、引出し８内に収納物としての靴等の履き物Ｓの底部をパイプ１１に載せることで、履き物Ｓを斜めにした状態で収納するようにしている。
【００５４】
一方、背部側収納部１５におけるボックス部１６内には実施形態１のように、縦隔壁１７及び横隔壁１８が設けられておらず、複数枚の棚板１６ａ，１６ａ，…が上下に並んで配置されている。この各棚板１６ａはボックス部１６の左右側壁間に亘って掛け渡されて、その側壁にダボ（図示せず）により支持されており、この各棚板１６ａ上に収納物としての靴やスリッパ等の履き物Ｓを載置して収納するようになっている。
【００５５】
尚、図示しないが、ボックス部１６の左右側壁内面には高さ方向の異なる複数のダボ穴が形成されており、このダボ穴に挿入されるダボの高さ位置を変えて棚板１６ａの高さを変更したり、ダボを抜いて棚板１６ａを取り外したり、ダボを追加して棚板１６ａを増やしたりできるようになっている。
【００５６】
また、ボックス部１６の前側には、ボックス部１６内の空間の開口を開閉する左右１対の扉２０，２０が配置されている。この両扉２０，２０は、実施形態１と異なっていていわゆる観音開きの構造であり、各々の左右端部の一方においてボックス部１６の左右側壁の各前端部に上下２つのスライド蝶番（図示せず）を介して水平回りに揺動可能に支持されており、この各扉２０の回動によりボックス部１６内の空間の開口を開閉するようになっている。尚、扉２０の上端はボックス部１６の天板よりも低くされており、両者の間には、扉２０を開く際に指を挿入するための間隙が空けられている。
【００５７】
これら左右に並べて設置される１対の椅子ユニットＡ１，Ａ１に対し、その左隣（前側から見たときには右側）には側部収納部３０が設置され、右隣（前側から見たときの左側）にはエンドパネル４０が配置されている。
【００５８】
上記側部収納部３０は、図１８にも示すように、実施形態１のように長尺物Ｌ（図では傘や杖等）を専用的に収納する構造とは異なり、その内部に靴やスリッパ等の履き物Ｓ（収納物）を載置して収納する構造となっている。
【００５９】
すなわち、側部収納部３０は、前側に開放されかつ左右方向の幅が小さくて高さが高い矩形箱状の薄型ボックス部３１を備え、このボックス部３１の高さは椅子ユニットＡ１と同じで、奥行きは椅子ユニットＡ１における座部側収納部５の略半分程度（背部側収納部１５よりも大きい）とされ、ボックス部３１は、左側の椅子ユニットＡ１における座部側収納部５のボックス部６及び背部側収納部１５のボックス部１６の左側面に並置され、その状態でボックス部３１の右側板にてボックス部６及び背部側収納部１５のボックス部１６の左側面に一体的に取付固定されている。
【００６０】
ボックス部３１の前端部にはボックス部３１の前側開口と略同じ形状の縦長の扉３８が配置され、この扉３８は、その例えば左端部がボックス部３１の左側壁の前端部に上下２つのスライド蝶番（図示せず）を介して水平回りに揺動可能に支持されており、この扉３８によりボックス部３１の前側開口が開閉されるようになっている。尚、この扉３８の上端もボックス部３１の天板よりも低くされており、両者の間には、扉３８を開く際に指を挿入するための間隙が空けられている。
【００６１】
ボックス部３１の内部には、複数枚の棚板３１ｂ，３１ｂ，…が上下に並んで配置され、この各棚板３１ｂはボックス部３１の左右側壁間に亘って掛け渡されて、その側壁にダボ（図示せず）により支持されており、この各棚板３１ｂ上に収納物としての靴やスリッパ等の履き物Ｓを載置して収納するようになっている。
【００６２】
尚、図示しないが、このボックス部３１の左右側壁内面にも高さ方向の異なる複数のダボ穴が形成されており、このダボ穴に挿入されるダボの高さ位置を変えて棚板３１ｂの高さを変更したり、ダボを抜いて棚板３１ｂを取り外したり、ダボを追加して棚板３１ｂを増やしたりできるようになっている。
【００６３】
また、ボックス部３１の天板上面には、後述の椅子側カウンタ４６と同じ厚さの１枚の板部材からなる収納部側カウンタ４７が載置されて一体的に固定されている。
【００６４】
上記エンドパネル４０は、右側の椅子ユニットＡ１における座部側収納部５及び背部側収納部１５の右側の側面に一体的に固定されている。また、左右の椅子ユニットＡ１，Ａ１の背部側収納部１５，１５におけるボックス部１６，１６上面には１枚の板部材からなる椅子側カウンタ４６が両ボックス部１６，１６に亘るように載置され、この椅子側カウンタ４６はボックス部１６，１６にそれら（両椅子ユニットＡ１，Ａ１）を連結するように一体的に固定されている。椅子側カウンタ４６の左端部は側部収納部３０の収納部側４７と連続するように同じ高さに位置し、椅子側カウンタ４６の右端部はエンドパネル４０の上端部に一体的に連結されており、椅子側カウンタ４６とエンドパネル４０とにより両椅子ユニットＡ１，Ａ１の上面及び右側椅子ユニットＡ１の右側面を覆う構造になっている。
【００６５】
尚、この実施形態では、エンドパネル４０に手摺り４３は設けられていない。この実施形態の他の構造は実施形態１と同じである。したがって、この実施形態でも実施形態１と同様の作用効果を奏することができる。
【００６６】
（その他の実施形態）
尚、上記実施形態１では、座部側収納部５は、左右方向に２つに分割されている引出し８，８を有するものであるが、３つ以上に分割された引出しを有するものであってもよい。また、実施形態１，２における座部側収納部５は、引出し８を有するものに限らず、他の構造の収納部であってもよい。
【００６７】
また、側部収納部３０は、椅子Ａの座部１の左側に代えて右側に設けてもよく（エンドパネル４０と位置を交代させる）、左右両側に設けることもできる（エンドパネル４０は省略）。
【００６８】
また、実施形態１における手摺り４３は、側部収納部３０のボックス部３１に取り付けてもよい。
【００６９】
さらに、上記実施形態２に係る収納付き椅子Ａは、２つの椅子ユニットＡ１，Ａ１を並べたものであるが、３つ以上の椅子ユニットＡ１，Ａ１を並べてもよく、或いは１つの椅子ユニットＡ１で収納付き椅子Ａを構成することもできる。
【００７０】
また、上記実施形態では、椅子Ａを玄関に設置した場合について説明しているが、本発明に係る収納付き椅子は、玄関以外の場所に設置してもよく、履き物Ｓ以外の収納物、傘や杖以外の長尺物を収納するようにすればよい。
【産業上の利用可能性】
【００７１】
本発明は、椅子の座部を大きなものとして、収納物の出し入れの際に安定して座ることができる一方、狭い空間であっても十分な大きさの収納部を確保できるので、極めて有用であり、産業上の利用可能性が高い。
【符号の説明】
【００７２】
Ａ  収納付き椅子
Ａ１  椅子ユニット
Ｓ  履き物（収納物）
Ｌ  長尺物
Ｄ  土間
Ｆ  床
１  座部
２  背部
５  座部側収納部
６  ボックス部
８  引出し
１５  背部側収納部
１６  ボックス部
１６ａ  棚板
２０  扉
２１  ドロップ蝶番
３０  側部収納部
３１  ボックス部
３１ｂ  棚板
３２  引出し
４０  エンドパネル
４６  椅子側カウンタ
４７  収納部側カウンタ
【図１】
2014004347.tif 000003
【図２】
2014004347.tif 000004
【図３】
2014004347.tif 000005
【図４】
2014004347.tif 000006
【図５】
2014004347.tif 000007
【図６】
2014004347.tif 000008
【図７】
2014004347.tif 000009
【図８】
2014004347.tif 000010
【図９】
2014004347.tif 000011
【図１０】
2014004347.tif 000012
【図１１】
2014004347.tif 000013
【図１２】
2014004347.tif 000014
【図１３】
2014004347.tif 000015
【図１４】
2014004347.tif 000016
【図１５】
2014004347.tif 000017
【図１６】
2014004347.tif 000018
【図１７】
2014004347.tif 000019
【図１８】
2014004347.tif 000020